(57)【要約】【課題】映像信号に動きのある場合でもドット妨害現象やクロスカラーを抑制する。【解決手段】３ライン相間Ｙ／Ｃ分離回路３０には、ラインメモリ１ａ、ラインメモリ１ｂ、３ラインコムフィルタ２、バンドパスフィルタ３−１乃至３−３、バンドパスフィルタ４−１乃至４−３、スイッチ５ａ、スイッチ５ｂ、動き検出部６、及び減算器７が設けられる。動き検出部６は複合映像信号Ｓｃｏｍｐを入力し、映像信号の動き量を検出し、動き検出信号Ｓ５をスイッチ５ａ及び５ｂに出力する。スイッチ５ａにより、入力映像の動き量が大きくなるにつれて、輝度信号用の色通過フィルタとしてのバンドパスフィルタ３−１乃至３−３の中からフィルタ帯域の広いフィルタが選択される。スイッチ５ｂにより、入力映像の動き量が大きくなるにつれて、色信号用の色通過フィルタとしてのバンドパスフィルタ４−１乃至４−３の中からフィルタ帯域の狭いフィルタが選択される。【選択図】図１
2008109218.tif 000002
【特許請求の範囲】
【請求項１】
複合映像信号が入力され、映像信号の動き量を検出して動き検出信号を出力する動き検出部と、
前記複合映像信号、１水平期間前記複合映像信号を遅延した１Ｈ遅延複合映像信号、及び２水平期間前記複合映像信号を遅延した２Ｈ遅延複合映像信号が入力され、前記複合映像信号、前記１Ｈ遅延複合映像信号、及び前記２Ｈ遅延複合映像信号の中から２番目に信号レベルの大きい信号を第１の信号として出力するコムフィルタと、
前記第１の信号が入力され、帯域幅がそれぞれ異なる複数の輝度信号用バンドパスフィルタと、
前記第１の信号が入力され、帯域幅がそれぞれ異なる複数の色信号用バンドパスフィルタと、
前記動き検出信号にもとづいて、前記映像信号の動き量に比例して、帯域の広い前記輝度信号用バンドパスフィルタを選択する輝度信号フィルタ選択手段と、
前記動き検出信号にもとづいて、前記映像信号の動き量に比例して、帯域の狭い前記色信号用バンドパスフィルタを選択し、色信号を出力する色信号フィルタ選択手段と、
前記１Ｈ複合映像信号と前記輝度信号フィルタ選択手段から出力される第２の信号とを用いて、輝度信号を出力する輝度信号出力手段と、
を具備することを特徴とするＹ／Ｃ分離回路。
【請求項２】
前記動き検出部は、前記複合映像信号が入力され、映像信号の１フレーム分遅延した１Ｆ遅延複合映像信号を生成するフレームメモリと、前記複合映像信号と前記１Ｆ遅延複合映像信号が入力され、前記複合映像信号から前記１Ｆ遅延複合映像信号を減算処理した輝度信号動き成分を生成する減算器と、前記複合映像信号と前記１Ｆ遅延複合映像信号が入力され、前記複合映像信号と前記１Ｆ遅延複合映像信号を加算処理した色信号動き成分を生成する加算器と、前記輝度信号動き成分が入力され、輝度動き成分の高域成分を減衰した第３の信号を生成するローパスフィルタと、前記色信号動き成分が入力され、前記色信号動き成分の色信号成分以外を減衰した第４の信号を生成するバンドパスフィルタと、前記第３の信号が入力され、絶対値に変換した絶対値輝度信号動き成分を生成する第１の絶対値回路と、前記第４の信号が入力され、絶対値に変換した絶対値色信号動き成分を生成する第２の絶対値回路と、前記絶対値輝度信号動き成分と前記絶対値色信号動き成分が入力され、動き量に対応した動き検出信号を出力する動き量検出回路とを有することを特徴とする請求項１に記載のＹ／Ｃ分離回路。
【請求項３】
複合映像信号、１水平期間前記複合映像信号を遅延した１Ｈ遅延複合映像信号、及び２水平期間前記複合映像信号を遅延した２Ｈ遅延複合映像信号が入力され、前記複合映像信号、前記１Ｈ遅延複合映像信号、及び前記２Ｈ遅延複合映像信号の中から２番目に信号レベルの大きい信号を第１の信号として出力するコムフィルタと、
前記第１の信号が入力され、帯域幅がそれぞれ異なるｍ個（ただし、ｍは２以上の整数）の輝度信号用バンドパスフィルタと、
前記第１の信号が入力され、帯域幅がそれぞれ異なるｎ個（ただし、ｎはｍとは異なる２以上の整数）の色信号用バンドパスフィルタと、
前記複合映像信号が入力され、映像信号の動き量を検出し、輝度信号用動き検出信号と色信号用動き検出信号を出力する動き検出部と、
前記輝度信号用動き検出信号にもとづいて、前記映像信号の動き量に比例して、帯域の広い前記輝度信号用バンドパスフィルタを選択する輝度信号フィルタ選択手段と、
前記色信号用動き検出信号にもとづいて、前記映像信号の動き量に比例して、帯域の狭い前記色信号用バンドパスフィルタを選択し、色信号を出力する色信号フィルタ選択手段と、
前記１Ｈ複合映像信号と前記輝度信号フィルタ選択手段から出力される第２の信号とを用いて、輝度信号を出力する輝度信号出力手段と、
を具備することを特徴とするＹ／Ｃ分離回路。
【請求項４】
前記動き検出部は、前記複合映像信号が入力され、映像信号の１フレーム分遅延した１Ｆ遅延複合映像信号を生成するフレームメモリと、前記複合映像信号と前記１Ｆ遅延複合映像信号が入力され、前記複合映像信号から前記１Ｆ遅延複合映像信号を減算処理した輝度信号動き成分を生成する減算器と、前記複合映像信号と前記１Ｆ遅延複合映像信号が入力され、前記複合映像信号と前記１Ｆ遅延複合映像信号を加算処理した色信号動き成分を生成する加算器と、前記輝度信号動き成分が入力され、輝度動き成分の高域成分を減衰した第３の信号を生成するローパスフィルタと、前記色信号動き成分が入力され、前記色信号動き成分の色信号成分以外を減衰した第４の信号を生成するバンドパスフィルタと、前記第３の信号が入力され、絶対値に変換した絶対値輝度信号動き成分を生成する第１の絶対値回路と、前記第４の信号が入力され、絶対値に変換した絶対値色信号動き成分を生成する第２の絶対値回路と、前記絶対値輝度信号動き成分が入力され、動き量に対応した輝度信号用動き検出信号を出力する第１の動き量検出回路と、前記絶対値色信号動き成分が入力され、動き量に対応した色信号用動き検出信号を出力する第２の動き量検出回路とを有することを特徴とする請求項３に記載のＹ／Ｃ分離回路。
【請求項５】
前記輝度信号出力手段は、前記１Ｈ複合映像信号と前記輝度信号フィルタ選択手段から出力される第２の信号が入力され、前記１Ｈ複合映像信号から前記第２の信号を減算処理し、輝度信号を出力する減算手段であることを特徴とする請求項１乃至４のいずれか１項に記載のＹ／Ｃ分離回路。
【発明の詳細な説明】
【技術分野】
【０００１】
本発明は、色信号と輝度信号が混合されている複合映像信号から色信号と輝度信号を分離するY／Ｃ分離回路に関する。
【背景技術】
【０００２】
アナログテレビ放送を受信してテレビ受像機に映像を映し出すには、放送局から送信される色副搬送波を色差信号で直交変調して輝度信号に重畳した信号である複合映像信号（コンポジット映像信号とも呼称される）を、受信機側で色信号と輝度信号に分離する。この分離をＹ／Ｃ分離と呼ばれ、Ｙ／Ｃ分離を行う方法として複合映像信号の隣り合う複数のラインの相関性を利用してＹ／Ｃ分離を行うラインＹ／Ｃ分離が用いられている（例えば、特許文献１参照。）。
【０００３】
特許文献１などに記載されているＹ／Ｃ分離回路では、色信号通過フィルタとしてのバンドパスフィルタの特性は映像の動きに対して固定されている。固定された色信号通過フィルタを使用した場合、帯域を狭めた色信号通過フィルタを選択すると輝度信号の帯域は広くなるが、その代わり色信号成分を除去できずドッド妨害現象が発生しやすくなり、帯域を広げた色信号通過フィルタを選択すると色信号の帯域は広くなるが、その代わり輝度信号成分を除去できずクロスカラーが発生しやすくなる。このため、動きのある映像信号の場合、ドッド妨害現象やクロスカラーが発生しやすくなるという問題点がある。
【特許文献１】特開２００２−２７４９３号公報（頁１１、図１１）
【発明の開示】
【発明が解決しようとする課題】
【０００４】
本発明は、映像信号に動きのある場合でもドット妨害現象やクロスカラーを抑制することができるＹ／Ｃ分離回路を提供する。
【課題を解決するための手段】
【０００５】
本発明の一態様のＹ／Ｃ分離回路は、複合映像信号が入力され、映像信号の動き量を検出して動き検出信号を出力する動き検出部と、前記複合映像信号、１水平期間前記複合映像信号を遅延した１Ｈ遅延複合映像信号、及び２水平期間前記複合映像信号を遅延した２Ｈ遅延複合映像信号が入力され、前記複合映像信号、前記１Ｈ遅延複合映像信号、及び前記２Ｈ遅延複合映像信号の中から２番目に信号レベルの大きい信号を第１の信号として出力するコムフィルタと、前記第１の信号が入力され、帯域幅がそれぞれ異なる複数の輝度信号用バンドパスフィルタと、前記第１の信号が入力され、帯域幅がそれぞれ異なる複数の色信号用バンドパスフィルタと、前記動き検出信号にもとづいて、前記映像信号の動き量に比例して、帯域の広い前記輝度信号用バンドパスフィルタを選択する輝度信号フィルタ選択手段と、前記動き検出信号にもとづいて、前記映像信号の動き量に比例して、帯域の狭い前記色信号用バンドパスフィルタを選択し、色信号を出力する色信号フィルタ選択手段と、前記１Ｈ複合映像信号と前記輝度信号フィルタ選択手段から出力される第２の信号とを用いて、輝度信号を出力する輝度信号出力手段とを具備することを特徴とする。
【０００６】
更に、本発明の他態様のＹ／Ｃ分離回路は、複合映像信号、１水平期間前記複合映像信号を遅延した１Ｈ遅延複合映像信号、及び２水平期間前記複合映像信号を遅延した２Ｈ遅延複合映像信号が入力され、前記複合映像信号、前記１Ｈ遅延複合映像信号、及び前記２Ｈ遅延複合映像信号の中から２番目に信号レベルの大きい信号を第１の信号として出力するコムフィルタと、前記第１の信号が入力され、帯域幅がそれぞれ異なるｍ個（ただし、ｍは２以上の整数）の輝度信号用バンドパスフィルタと、前記第１の信号が入力され、帯域幅がそれぞれ異なるｎ個（ただし、ｎはｍとは異なる２以上の整数）の色信号用バンドパスフィルタと、前記複合映像信号が入力され、映像信号の動き量を検出し、輝度信号用動き検出信号と色信号用動き検出信号を出力する動き検出部と、前記輝度信号用動き検出信号にもとづいて、前記映像信号の動き量に比例して、帯域の広い前記輝度信号用バンドパスフィルタを選択する輝度信号フィルタ選択手段と、前記色信号用動き検出信号にもとづいて、前記映像信号の動き量に比例して、帯域の狭い前記色信号用バンドパスフィルタを選択し、色信号を出力する色信号フィルタ選択手段と、前記１Ｈ複合映像信号と前記輝度信号フィルタ選択手段から出力される第２の信号とを用いて、輝度信号を出力する輝度信号出力手段とを具備することを特徴とする。
【発明の効果】
【０００７】
本発明によれば、映像信号に動きのある場合でもドット妨害現象やクロスカラーを抑制することができるＹ／Ｃ分離回路を提供することができる。
【発明を実施するための最良の形態】
【０００８】
以下本発明の実施例について図面を参照しながら説明する。
【実施例１】
【０００９】
まず、本発明の実施例１に係るＹ／Ｃ分離回路について、図面を参照して説明する。図１は３ライン相関Ｙ／Ｃ分離回路の構成を示すブロック図、図２は輝度信号用バンドパスフィルタの特性と映像の動き量の関係を示す図、図３は輝度信号用バンドパスフィルタの帯域特性を示す図、図４は色信号用バンドパスフィルタの特性と映像の動き量の関係を示す図、図５は色信号用バンドパスフィルタの帯域特性を示す図、図６は動き検出部の構成を示すブロック図である。本実施例では、映像の動きに応じて輝度信号用バンドパスフィルタ及び色信号用バンドパスフィルタを選択している。
【００１０】
図１に示すように、３ライン相間Ｙ／Ｃ分離回路３０には、ラインメモリ１ａ、ラインメモリ１ｂ、３ラインコムフィルタ２、バンドパスフィルタ３−１乃至３−３、バンドパスフィルタ４−１乃至４−３、スイッチ５ａ、スイッチ５ｂ、動き検出部６、及び減算器７が設けられる。３ライン相間Ｙ／Ｃ分離回路３０は、二次元Ｙ／Ｃ分離回路であり、ＴＶ放送信号処理回路として用いられ、図示しないＡＤＣ（Analog−to−Digital  Converter）でアナログ信号からデジタル信号に変換された複合映像信号Ｓｃｏｍｐを入力し、Ｙ／Ｃ分離された輝度信号（Ｙ）と色信号（Ｃ）とを出力する。
【００１１】
ラインメモリ１ａは、複合映像信号Ｓｃｏｍｐを入力し、１Ｈ遅延（色副搬送波（ｆｓｃ）の１／２遅延）された１Ｈ遅延複合映像信号Ｓ１を３ラインコムフィルタ２に出力する。ラインメモリ１ｂは、１Ｈ遅延複合映像信号Ｓ１を入力し、複合映像信号Ｓｃｏｍｐに対して２Ｈ遅延（色副搬送波（ｆｓｃ）分遅延）された２Ｈ遅延複合映像信号Ｓ２を３ラインコムフィルタ２に出力する。このため、色信号は、０Ｈ信号及び２Ｈ信号と１Ｈ信号とでは位相が反転されている。また、輝度信号は０Ｈ信号及び２Ｈ信号と１Ｈ信号とでは位相が同相である。ここでは、３ラインの複合映像信号を０Ｈ、１Ｈ、２Ｈと順に遅延された信号として表記しているが、例えば−１Ｈ、０Ｈ、＋１Ｈのように３ラインの複合映像信号を表記してもよい。なお、１Ｈとは１水平期間をいう。
【００１２】
３ラインコムフィルタ２は、複合映像信号Ｓｃｏｍｐ、１Ｈ遅延複合映像信号Ｓ１、及び２Ｈ遅延複合映像信号Ｓ２を入力し、複合映像信号Ｓｃｏｍｐ、１Ｈ遅延複合映像信号Ｓ１、及び２Ｈ遅延複合映像信号Ｓ２の中で２番目に信号レベルが大きい信号を選択し、コムフィルタ出力信号Ｓ３として出力する。
【００１３】
バンドパスフィルタ３−１乃至３−３は、３ラインコムフィルタ２とスイッチ５ａの間に設けられ、３ラインコムフィルタ２から出力されるコムフィルタ出力信号Ｓ３を入力し、輝度信号用の色信号通過フィルタとしてデジタル信号処理する。
【００１４】
バンドパスフィルタ３−１は、コムフィルタ出力信号Ｓ３を入力し、バンドパスフィルタ出力信号ＳＡ１をスイッチ５ａに出力する。バンドパスフィルタ３−２は、コムフィルタ出力信号Ｓ３を入力し、バンドパスフィルタ出力信号ＳＡ２をスイッチ５ａに出力する。バンドパスフィルタ３−３は、コムフィルタ出力信号Ｓ３を入力し、バンドパスフィルタ出力信号ＳＡ３をスイッチ５ａに出力する。
【００１５】
ここで、バンドパスフィルタ３−１乃至３−３にフィードバックループを持たないＦＩＲ（Finite  Impulse  Response）フィルタを用いているが、フィードバックループを持つＩＩＲフィルタ（Infinite   Impulse  Response）フィルタを用いてもよい。
【００１６】
図２に示すように、バンドパスフィルタ出力信号ＳＡ１乃至ＳＡ３と動き量の関係は、動き量閾値ＴｈＹ１よりも少ない動き量の領域がバンドパスフィルタ出力信号ＳＡ１に対応し、動き量閾値ＴｈＹ１から動き量閾値ＴｈＹ２の動き量の領域がバンドパスフィルタ出力信号ＳＡ２に対応し、動き量閾値ＴｈＹ２よりも大きい動き量の領域がバンドパスフィルタ出力信号ＳＡ３に対応する。
【００１７】
図３に示すように、動き量閾値ＴｈＹ１よりも少ない動き量に対応するバンドパスフィルタ３−１は、中心値が３．５８ＭＨｚでバンドパスフィルタ帯域幅Ｗｂ１を有するバンドパスフィルタ出力信号ＳＡ１を生成する。動き量閾値ＴｈＹ１から動き量閾値ＴｈＹ２の動き量に対応するバンドパスフィルタ３−２は、中心値が３．５８ＭＨｚでバンドパスフィルタ帯域幅Ｗｂ２を有するバンドパスフィルタ出力信号ＳＡ２を生成する。動き量閾値ＴｈＹ２よりも大きい動き量に対応するバンドパスフィルタ３−３は、中心値が３．５８ＭＨｚでバンドパスフィルタ帯域幅Ｗｂ３を有するバンドパスフィルタ出力信号ＳＡ３を生成する。
【００１８】
ここで、バンドパスフィルタ帯域幅Ｗｂ１、バンドパスフィルタ帯域幅Ｗｂ２、及びバンドパスフィルタ帯域幅Ｗｂ３の関係は、
Wb1＜Wb2＜Wb3・・・・・・・・・・・・・・・・式（１）
となるように設定される。なお、バンドパスフィルタ帯域幅Ｗｂ１、バンドパスフィルタ帯域幅Ｗｂ２、及びバンドパスフィルタ帯域幅Ｗｂ３は、例えばタップ数を変更して設定される。
【００１９】
バンドパスフィルタ４−１乃至４−３は、３ラインコムフィルタ２とスイッチ５ｂの間に設けられ、３ラインコムフィルタ２から出力されるコムフィルタ出力信号Ｓ３を入力し、色信号用の色信号通過フィルタとしてデジタル信号処理する。
【００２０】
バンドパスフィルタ４−１は、コムフィルタ出力信号Ｓ３を入力し、バンドパスフィルタ出力信号ＳB１をスイッチ５ｂに出力する。バンドパスフィルタ４−２は、コムフィルタ出力信号Ｓ３を入力し、バンドパスフィルタ出力信号ＳＢ２をスイッチ５ｂに出力する。バンドパスフィルタ４−３は、コムフィルタ出力信号Ｓ３を入力し、バンドパスフィルタ出力信号ＳＢ３をスイッチ５ｂに出力する。
【００２１】
ここで、バンドパスフィルタ４−１乃至４−４にフィードバックループを持たないＦＩＲ（Finite  Impulse  Response）フィルタを用いているが、フィードバックループを持つＩＩＲフィルタ（Infinite   Impulse  Response）フィルタを用いてもよい。
【００２２】
図４に示すように、バンドパスフィルタ出力信号ＳＢ１乃至ＳＢ３と動き量の関係は、動き量閾値ＴｈＣ１よりも少ない動き量の領域がバンドパスフィルタ出力信号ＳＢ１に対応し、動き量閾値ＴｈＣ１から動き量閾値ＴｈＣ２の動き量の領域がバンドパスフィルタ出力信号ＳＢ２に対応し、動き量閾値ＴｈＣ２よりも大きい動き量の領域がバンドパスフィルタ出力信号ＳＢ３に対応する。
【００２３】
図５に示すように、動き量閾値ＴｈＣ１よりも少ない動き量に対応するバンドパスフィルタ４−１は、中心値が３．５８ＭＨｚでバンドパスフィルタ帯域幅Ｗｂ１１を有するバンドパスフィルタ出力信号ＳＢ１を生成する。動き量閾値ＴｈＣ１から動き量閾値ＴｈＣ２の動き量に対応するバンドパスフィルタ４−２は、中心値が３．５８ＭＨｚでバンドパスフィルタ帯域幅Ｗｂ１２を有するバンドパスフィルタ出力信号ＳＢ２を生成する。動き量閾値ＴｈＣ２よりも大きい動き量に対応するバンドパスフィルタ４−３は、中心値が３．５８ＭＨｚでバンドパスフィルタ帯域幅Ｗｂ１３を有するバンドパスフィルタ出力信号ＳＢ３を生成する。
【００２４】
ここで、バンドパスフィルタ帯域幅Ｗｂ１１、バンドパスフィルタ帯域幅Ｗｂ１２、及びバンドパスフィルタ帯域幅Ｗｂ１３の関係は、
Wb11＞Wb12＞Wb13・・・・・・・・・・・・・・・・式（２）
となるように設定される。なお、バンドパスフィルタ帯域幅Ｗｂ１１、バンドパスフィルタ帯域幅Ｗｂ１２、及びバンドパスフィルタ帯域幅Ｗｂ１３は、例えばタップ数を変更して設定される。
【００２５】
図６に示すように、動き検出部６には、フレームメモリ１１、減算器７ａ、加算器１２、ローパスフィルタ１３、バンドパスフィルタ１４、絶対値回路１５ａ、絶対値回路１５ｂ、動き量検出回路１６が設けられる。動き検出部６は、複合映像信号Ｓｃｏｍｐを入力し、映像信号の動き量を検出し、動き検出信号Ｓ５をスイッチ５ａ及び５ｂに出力する。
【００２６】
フレームメモリ１１は、複合映像信号Ｓｃｏｍｐを入力し、映像信号の１フレーム分遅延した信号を１F遅延複合映像信号Ｓ１１として減算器７ａ及び加算器１２に出力する。
【００２７】
減算器７ａは、複合映像信号Ｓｃｏｍｐと１F遅延複合映像信号Ｓ１１とを入力し、複合映像信号Ｓｃｏｍｐから１F遅延複合映像信号Ｓ１１を減算処理した輝度信号動き成分を減算器出力信号Ｓ１２としてローパスフィルタ１３に出力する。
【００２８】
加算器１２は、複合映像信号Ｓｃｏｍｐと１F遅延複合映像信号Ｓ１１とを入力し、複合映像信号Ｓｃｏｍｐと１F遅延複合映像信号Ｓ１１を加算処理した色信号動き成分を加算器出力信号Ｓ１３としてバンドパスフィルタ１４に出力する。
【００２９】
ローパスフィルタ１３は、減算器７ａと絶対値回路１５ａの間に設けられ、減算器出力信号Ｓ１２を入力し、輝度信号動き成分の高域成分を減衰させた信号をローパスフィルタ出力信号Ｓ１４として絶対値回路１５ａに出力する。
【００３０】
バンドパスフィルタ１４は、加算器１２と絶対値回路１５ｂの間に設けられ、加算器出力信号Ｓ１３を入力し、色信号動き成分の色信号成分以外を減衰させた信号をバンドパスフィルタ出力信号Ｓ１５として絶対値回路１５ｂに出力する。
【００３１】
絶対値回路１５ａは、ローパスフィルタ１３と動き量検出回路１６の間に設けられ、ローパスフィルタ出力信号Ｓ１４を入力し、絶対値に変換した輝度信号動き成分をＡＢＳ出力信号Ｓ１６として動き量検出回路１６に出力する。
【００３２】
絶対値回路１５ｂは、バンドパスフィルタ１４と動き量検出回路１６の間に設けられ、バンドパスフィルタ出力信号Ｓ１５を入力し、絶対値に変換した色信号動き成分をＡＢＳ出力信号Ｓ１７として動き量検出回路１６に出力する。
【００３３】
動き量検出回路１６は、絶対値回路１５ａ及び１５ｂとスイッチ５ａ及び５ｂの間に設けられ、ＡＢＳ出力信号Ｓ１６及びＳ１７を入力し、輝度信号動き成分及び色信号動き成分の値の大きい方を動き検出信号Ｓ５としてスイッチ５ａ及び５ｂに出力する。ここでは、図２及び図４に示すように動き量は３分類され、動き量の値に応じてその内の大きな動き量が選択される。
【００３４】
スイッチ５ａは、バンドパスフィルタ３−１乃至３−３と減算器７の間に設けられ、輝度信号用バンドパスフィルタ選択手段として機能し、動き検出部６から出力される動き検出信号Ｓ５にもとづいて、バンドパスフィルタ３−１乃至３−３から出力される信号のいずれかを選択し、その信号をスイッチ出力信号Ｓ４として減算器７に出力する。ここで、動き検出信号Ｓ５の動き量が一番大きい場合、バンドパスフィルタ出力信号ＳＡ３（帯域幅が一番大きい）が選択され、動き検出信号Ｓ５の動き量が２番目の場合、バンドパスフィルタ出力信号ＳＡ２（帯域幅が２番目に大きい）が選択され、動き検出信号Ｓ５の動き量が一番小さな場合、バンドパスフィルタ出力信号ＳＡ１（帯域幅が一番小さい）が選択される。
【００３５】
スイッチ５ｂは、色信号用バンドパスフィルタ選択手段として機能し、動き検出部６から出力される動き検出信号Ｓ５にもとづいて、バンドパスフィルタ４−１乃至４−３から出力される信号のいずれかを選択し、その信号を色信号（Ｃ）として出力する。ここで、動き検出信号Ｓ５の動き量が一番大きい場合、バンドパスフィルタ出力信号ＳＢ３（帯域幅が一番小さい）が選択され、動き検出信号Ｓ５の動き量が２番目の場合、バンドパスフィルタ出力信号ＳＢ２（帯域幅が２番目に大きい）が選択され、動き検出信号Ｓ５の動き量が一番小さな場合、バンドパスフィルタ出力信号ＳＢ１（帯域幅が一番大きい）が選択される。
【００３６】
減算器（減算手段）７は、１Ｈ遅延複合映像信号Ｓ１とスイッチ出力信号Ｓ４とを入力し、１Ｈ遅延複合映像信号Ｓ１からスイッチ出力信号Ｓ４を減算処理して輝度信号（Ｙ）を出力する。なお、輝度信号用の色信号通過フィルタ（バンドパスフィルタ３−１乃至３−３）と色信号用の色信号通過フィルタ（バンドパスフィルタ４−１乃至４−３）をそれぞれ３種類設けているが、必ずしも３種類に限定されるものではなく、例えばｋ種類（ｋは２以上の整数）設けてもよい。その場合、動き検出部６から出力される動き検出信号Ｓ５の値に応じて（ｋ−１）の閾値で切り替えるのが好ましい。
【００３７】
上述したように、本実施例のＹ／Ｃ分離回路では、ラインメモリ１ａ、ラインメモリ１ｂ、３ラインコムフィルタ２、バンドパスフィルタ３−１乃至３−３、バンドパスフィルタ４−１乃至４−３、スイッチ５ａ、スイッチ５ｂ、動き検出部６、及び減算器７が設けられる。動き検出部６は複合映像信号Ｓｃｏｍｐを入力し、映像信号の動き量を検出し、動き検出信号Ｓ５をスイッチ５ａ及び５ｂに出力する。スイッチ５ａにより、入力映像の動き量が大きくなるにつれて、輝度信号用の色通過フィルタとしてのバンドパスフィルタ３−１乃至３−３の中からフィルタ帯域の広いフィルタが選択される。スイッチ５ｂにより、入力映像の動き量が大きくなるにつれて、色信号用の色通過フィルタとしてのバンドパスフィルタ４−１乃至４−３の中からフィルタ帯域の狭いフィルタが選択される。
【００３８】
したがって、入力映像の動き量に比例して帯域の広い輝度信号用の色通過フィルタを選択しているので、色信号が輝度信号に漏れ込むことにより発生し、シーンチェンジなど映像の早いシーンで多くなる傾向のドット妨害現象を従来よりも抑制することができる。更に、入力映像の動き量に比例して帯域の狭い色信号用の色通過フィルタを選択しているので、輝度信号が色信号に漏れ込むことにより発生し、映像の動きがあるシーンで多くなる傾向のクロスカラーを従来よりも抑制することができる。
【００３９】
なお、本実施例では、Ｙ／Ｃ分離回路をＴＶ放送信号の処理に適用したが、デジタルカメラやビデオ等のデジタル映像信号処理に適用できる。また、スイッチの代わりにセレクタなどを用いてもよい。更に、３種類の信号（０Ｈ、１Ｈ、２Ｈ）が入力される、３タップ中間値フィルタである３ラインコムフィルタを用いているが、５種類の信号（０Ｈ、１／２Ｈ、１Ｈ、３／２Ｈ、２Ｈ）が入力される、５タップ中間値フィルタである５ラインコムフィルタを用いてもよい。その場合、１／２Ｈの信号は０Ｈと１Ｈの信号から合成され、３／２Ｈの信号は１Ｈと２Ｈの信号から合成される。
【実施例２】
【００４０】
次に、本発明の実施例２に係るＹ／Ｃ分離回路について、図面を参照して説明する。図７は３ライン相関Ｙ／Ｃ分離回路の構成を示すブロック図、図８は輝度信号用バンドバスフィルタの特性と映像の動き量の関係を示す図、図９は色信号用バンドバスフィルタの特性と映像の動き量の関係を示す図、図１０は動き検出部の構成を示すブロック図である。本実施例では、ｍ種類の輝度信号用バンドパスフィルタとｎ種類の色信号用バンドパスフィルタを設け、映像の動き応じて輝度信号用バンドパスフィルタと色信号用バンドパスフィルタを選択している。
【００４１】
以下、実施例１と同一構成部分には、同一符号を付してその部分の説明を省略し、異なる部分のみ説明する。
【００４２】
図７に示すように、３ライン相関Ｙ／Ｃ分離回路３０ａには、ラインメモリ１ａ、ラインメモリ１ｂ、３ラインコムフィルタ２、バンドパスフィルタ３−１乃至３−ｍ、バンドパスフィルタ４−１乃至４−ｎ、スイッチ５ｃ、スイッチ５ｄ、動き検出部６ａ、及び減算器７が設けられる。３ライン相間Ｙ／Ｃ分離回路３０ａは、二次元Ｙ／Ｃ分離回路であり、ＴＶ放送信号処理回路として用いられ、図示しないＡＤＣ（Analog−to−Digital  Converter）でアナログ信号からデジタル信号に変換された複合映像信号Ｓｃｏｍｐを入力し、Ｙ／Ｃ分離された輝度信号（Ｙ）と色信号（Ｃ）とを出力する。
【００４３】
バンドパスフィルタ３−１乃至３−ｍは、３ラインコムフィルタ２とスイッチ５ｃの間に設けられ、３ラインコムフィルタ２から出力されるコムフィルタ出力信号Ｓ３を入力し、輝度信号用の色信号通過フィルタとしてデジタル信号処理する。
【００４４】
バンドパスフィルタ３−１は、コムフィルタ出力信号Ｓ３を入力し、バンドパスフィルタ出力信号ＳＡ１をスイッチ５ｃに出力する。バンドパスフィルタ３−ｍ（ｍ番目のバンドパスフィルタ）は、コムフィルタ出力信号Ｓ３を入力し、バンドパスフィルタ出力信号ＳＡＭをスイッチ５ｃに出力する。ここでは、輝度信号用の色信号通過フィルタとしてのバンドパスフィルタはｍ個設けられているが、バンドパスフィルタ３−２からバンドパスフィルタ３−（ｍ−１）までの図示及び説明を省略する。
【００４５】
図８に示すように、バンドパスフィルタ出力信号ＳＡ１乃至ＳＡＭと動き量の関係は、動き量閾値ＴｈＹ１よりも少ない動き量の領域がバンドパスフィルタ出力信号ＳＡ１に対応し、動き量閾値ＴｈＹｍ−１よりも大きい動き量の領域がバンドパスフィルタ出力信号ＳＡＭに対応する。動き量閾値ＴｈＹ１よりも少ない動き量に対応するバンドパスフィルタ３−１は、中心値が３．５８ＭＨｚでバンドパスフィルタ帯域幅Ｗｂ１を有するバンドパスフィルタ出力信号ＳＡ１を生成する。動き量閾値ＴｈＹｍ−１よりも大きい動き量に対応するバンドパスフィルタ３−ｍは、中心値が３．５８ＭＨｚでバンドパスフィルタ帯域幅Ｗｂｍを有するバンドパスフィルタ出力信号ＳＡＭを生成する。
【００４６】
ここで、バンドパスフィルタ帯域幅Ｗｂ１、バンドパスフィルタ帯域幅Ｗｂ２、・・・、バンドパスフィルタ３−（ｍ−１）のバンドパスフィルタ帯域幅Ｗｂ（ｍ−１）、バンドパスフィルタ帯域幅Ｗｂｍの関係は、
Wb1＜Wb2・・・＜Wb(m-1)＜Wbm・・・・・・・・・・・・式（３）
となるように設定される。なお、バンドパスフィルタ帯域幅Ｗｂ１、バンドパスフィルタ帯域幅Ｗｂ２、・・・、バンドパスフィルタ帯域幅Ｗｂ（ｍ−１）、バンドパスフィルタ帯域幅Ｗｂｍは、例えばタップ数を変更して設定される。
【００４７】
バンドパスフィルタ４−１乃至４−ｎは、３ラインコムフィルタ２とスイッチ５ｄの間に設けられ、３ラインコムフィルタ２から出力されるコムフィルタ出力信号Ｓ３を入力し、色信号用の色信号通過フィルタとしてデジタル信号処理する。
【００４８】
バンドパスフィルタ４−１は、コムフィルタ出力信号Ｓ３を入力し、バンドパスフィルタ出力信号ＳＢ１をスイッチ５ｄに出力する。バンドパスフィルタ４−ｎ（ｎ番目のバンドパスフィルタ）は、コムフィルタ出力信号Ｓ３を入力し、バンドパスフィルタ出力信号ＳＢＮをスイッチ５ｄに出力する。ここでは、色信号用の色信号通過フィルタとしてのバンドパスフィルタはｎ個設けられているが、バンドパスフィルタ４−２からバンドパスフィルタ４−（ｎ−１）までの図示及び説明を省略する。
【００４９】
図９に示すように、バンドパスフィルタ出力信号ＳＢ１乃至ＳＢＮと動き量の関係は、動き量閾値ＴｈＣ１よりも少ない動き量の領域がバンドパスフィルタ出力信号ＳＢ１に対応し、動き量閾値ＴｈＣｎ−１よりも大きい動き量の領域がバンドパスフィルタ出力信号ＳＢＮに対応する。動き量閾値ＴｈＣ１よりも少ない動き量に対応するバンドパスフィルタ４−１は、中心値が３．５８ＭＨｚでバンドパスフィルタ帯域幅Ｗｂ１１を有するバンドパスフィルタ出力信号ＳＢ１を生成する。動き量閾値ＴｈＣｎ−１よりも大きい動き量に対応するバンドパスフィルタ４−ｎは、中心値が３．５８ＭＨｚでバンドパスフィルタ帯域幅Ｗｂｎを有するバンドパスフィルタ出力信号ＳＢＮを生成する。
【００５０】
ここで、バンドパスフィルタ帯域幅Ｗｂ１１、バンドパスフィルタ帯域幅Ｗｂ１２、・・・、バンドパスフィルタ４−（ｎ−１）のバンドパスフィルタ帯域幅Ｗｂ（ｎ−１）、バンドパスフィルタ帯域幅Ｗｂｎの関係は、
Wb11＞Wb12・・・＞Wb(ｎ-1)＞Wbｎ・・・・・・・・・・・・式（４）
となるように設定される。なお、バンドパスフィルタ帯域幅Ｗｂ１１、バンドパスフィルタ帯域幅Ｗｂ１２、・・・、バンドパスフィルタ帯域幅Ｗｂ（ｎ−１）、バンドパスフィルタ帯域幅Ｗｂｎは、例えばタップ数を変更して設定される。
【００５１】
図１０に示すように、動き検出部６ａには、フレームメモリ１１、減算器７ａ、加算器１２、ローパスフィルタ１３、バンドパスフィルタ１４、絶対値回路１５ａ、及び絶対値回路１５ｂが設けられる。動き検出部６ａは、複合映像信号Ｓｃｏｍｐを入力し、映像信号の動き量を検出し、輝度信号用動き検出信号Ｓ５ａをスイッチ５ｃに出力し、色信号用動き検出信号Ｓ５ｂをスイッチ５ｄに出力する。
【００５２】
絶対値回路１５ａは、ローパスフィルタ１３とスイッチ５ｃの間に設けられ、ローパスフィルタ出力信号Ｓ１４を入力し、絶対値に変換した輝度信号動き成分を輝度信号用動き検出信号Ｓ５ａとしてスイッチ５ｃに出力する。ここでは、図８に示すように動き量はｍ分類され、動き量の値に応じてその内の大きな動き量が選択される。
【００５３】
絶対値回路１５ｂは、バンドパスフィルタ１４とスイッチ５ｄの間に設けられ、バンドパスフィルタ出力信号Ｓ１５を入力し、絶対値に変換した色信号動き成分を色信号用動き検出信号Ｓ５ｂをスイッチ５ｄに出力する。ここでは、図９に示すように動き量はｎ分類され、動き量の値に応じてその内の大きな動き量が選択される。
【００５４】
スイッチ５ｃは、バンドパスフィルタ３−１乃至３−ｍと減算器７の間に設けられ、輝度信号用バンドパスフィルタ選択手段として機能し、動き検出部６ａから出力される輝度信号用動き検出信号Ｓ５ａにもとづいて、バンドパスフィルタ３−１乃至３−ｍから出力される信号のいずれかを選択し、その信号をスイッチ出力信号Ｓ４として減算器７に出力する。ここで、輝度信号用動き検出信号Ｓ５ａの動き量が一番大きい場合、バンドパスフィルタ出力信号ＳＡＭ（帯域幅が一番大きい）が選択され、輝度信号用動き検出信号Ｓ５ａの動き量が２番目に小さい場合、バンドパスフィルタ出力信号ＳＡ２（帯域幅が２番目に小さい）が選択され、輝度信号用動き検出信号Ｓ５ａの動き量が一番小さな場合、バンドパスフィルタ出力信号ＳＡ１（帯域幅が一番小さい）が選択される。
【００５５】
スイッチ５ｄは、色信号用バンドパスフィルタ選択手段として機能し、動き検出部６ａから出力される色信号用動き検出信号Ｓ５ｂにもとづいて、バンドパスフィルタ４−１乃至４−ｎから出力される信号のいずれかを選択し、その信号を色信号（Ｃ）として出力する。ここで、色信号用動き検出信号Ｓ５ｂの動き量が一番大きい場合、バンドパスフィルタ出力信号ＳＢＮ（帯域幅が一番小さい）が選択され、色信号用動き検出信号Ｓ５ｂの動き量が一番小さな場合、バンドパスフィルタ出力信号ＳＢ１（帯域幅が一番大きい）が選択される。
【００５６】
上述したように、本実施例のＹ／Ｃ分離回路では、ラインメモリ１ａ、ラインメモリ１ｂ、３ラインコムフィルタ２、バンドパスフィルタ３−１乃至３−ｍ、バンドパスフィルタ４−１乃至４−ｎ、スイッチ５ｃ、スイッチ５ｄ、動き検出部６ａ、及び減算器７が設けられる。動き検出部６ａは複合映像信号Ｓｃｏｍｐを入力し、映像信号の動き量を検出し、輝度信号用動き検出信号Ｓ５ａをスイッチ５ｃに出力し、色信号用動き検出信号Ｓ５ｂをスイッチ５ｄに出力する。スイッチ５ｃにより、入力映像の動き量が大きくなるにつれて、輝度信号用の色通過フィルタとしてのバンドパスフィルタ３−１乃至３−ｍの中からフィルタ帯域の広いフィルタが選択される。スイッチ５ｄにより、入力映像の動き量が大きくなるにつれて、色信号用の色通過フィルタとしてのバンドパスフィルタ４−１乃至４−ｎの中からフィルタ帯域の狭いフィルタが選択される。
【００５７】
したがって、輝度信号用の色通過フィルタはｍ個設けられ、色信号用の色通過フィルタはｎ個設けられ、動き検出部６ａから出力される輝度信号用動き検出信号Ｓ５ａにより入力映像の動き量に対応した最適な帯域幅の輝度信号用の色通過フィルタが選択され、動き検出部６ａから出力される色信号用動き検出信号Ｓ５ｂにより入力映像の動き量に対応した最適な帯域幅の色信号用の色通過フィルタが選択されるので、実施例１よりもドット妨害現象及びクロスカラーを抑制することができる。
【００５８】
本発明は、上記実施例に限定されるものではなく、発明の趣旨を逸脱しない範囲で、種々、変更してもよい。
【００５９】
例えば、本実施例では、ＮＴＳＣ信号のＹ／Ｃ分離について説明しているが、ＮＴＳＣ信号の代わりにＰＡＬ（Phase  Alternating  Line）信号などにも適用できる。また、本実施例では複合映像信号を３ラインにしてＹ／Ｃ分離しているが、複合映像信号を２ラインや４ラインなどにしてＹ／Ｃ分離してもよい。更に、二次元Ｙ／Ｃ分離に適用しているが、入力映像の動き量が小さな場合に３次元Ｙ／Ｃ分離を行い、入力映像の動き量が大きな場合に３ライン相関Ｙ／Ｃ分離を行う動き適応型３次元Ｙ／Ｃ分離にも適用することができる。
【図面の簡単な説明】
【００６０】
【図１】本発明の実施例１に係る３相関ラインＹ／Ｃ分離回路の構成を示すブロック図。
【図２】本発明の実施例１に係る輝度信号用バンドパスフィルタの特性と映像の動き量の関係を示す図。
【図３】本発明の実施例１に係る輝度信号用バンドパスフィルタの帯域特性を示す図。
【図４】本発明の実施例１に係る色信号用バンドパスフィルタの特性と映像の動き量の関係を示す図。
【図５】本発明の実施例１に係る色信号用バンドパスフィルタの帯域特性を示す図。
【図６】本発明の実施例１に係る動き検出部の構成を示すブロック図。
【図７】本発明の実施例２に係る３相関ラインＹ／Ｃ分離回路の構成を示すブロック図。
【図８】本発明の実施例２に係る輝度信号用バンドパスフィルタの特性と映像の動き量の関係を示す図。
【図９】本発明の実施例２に係る色信号用バンドパスフィルタの特性と映像の動き量の関係を示す図。
【図１０】本発明の実施例２に係る動き検出部の構成を示すブロック図。
【符号の説明】
【００６１】
１ａ、１ｂ  ラインメモリ
２  ３ラインコムフィルタ
３−１〜３、３−ｍ、４−１〜３、４−ｎ、１４  バンドパスフィルタ
５ａ〜ｄ  スイッチ
６、６ａ  動き検出部
７、７ａ  減算器
１１  フレームメモリ
１２  加算器
１３  ローパスフィルタ
１５ａ、１５ｂ  絶対値回路
１６  動き量検出回路
３０、３０ａ  Ｙ／Ｃ分離回路
Ｓ１  １Ｈ遅延複合映像信号
Ｓ２  ２Ｈ遅延複合映像信号
Ｓ３  コムフィルタ出力信号
Ｓ４  スイッチ出力信号
Ｓ５、Ｓ５ａ、Ｓ５ｂ  動き検出信号
Ｓ１１  １Ｆ遅延複合映像信号
Ｓ１２  減算器出力信号
Ｓ１３  加算器出力信号
Ｓ１４  ローパスフィルタ出力信号
Ｓ１５  バンドパスフィルタ出力信号
Ｓ１６、Ｓ１７  ＡＢＳ出力信号
ＳＡ１〜３、ＳＡＭ、ＳＢ１〜３、ＳＢＮ  バンドパスフィルタ出力信号
Ｓｃｏｍｐ  複合映像信号
ＴｈＣ１、ＴｈＣ２、ＴｈＣｎ−１、ＴｈＹ１、ＴｈＹ２、ＴｈＹｍ−１  動き量閾値
Ｗｂ１〜３、Ｗｂ１１〜１３  バンドパスフィルタ帯域幅
【図１】
2008109218.tif 000003
【図２】
2008109218.tif 000004
【図３】
2008109218.tif 000005
【図４】
2008109218.tif 000006
【図５】
2008109218.tif 000007
【図６】
2008109218.tif 000008
【図７】
2008109218.tif 000009
【図８】
2008109218.tif 000010
【図９】
2008109218.tif 000011
【図１０】
2008109218.tif 000012